(57)【要約】      （修正有）【課題】簡単、きれいに便器をクリーニングするために、便器の裏側を目視しながら清掃することができるトイレ清掃用回転ブラシ装具を提供する。【解決手段】トイレ清掃用回転ブラシ装具であって、取っ手部１と１の取っ手部に屈曲した状態で、かつ、折り畳み可能に接続された支持部３と、この支持部３の先端部に設けられた回転ブラシ６とから構成する。取っ手部１の先端側の裏側にミラー８を取り付ける。ミラー８は固定式でも、埋め込み式でも扉をつけてもよい。【選択図】図１
0003180644.tif 000002
【実用新案登録請求の範囲】
【請求項１】
取っ手部と、この取っ手部に屈曲して設けられえた支持部と、この支持部の先端に  回転可能に設けられた回転ブラシとを有するトイレ清掃用回転ブラシ装具であって、前記取っ手部と前記支持部との境界個所内側または前記取っ手部の前記支持部側端部との内側にミラーがとりつけられていることを特徴とするトイレ清掃用回転ブラシ装具。
【請求項２】
前記ミラーは、前記取っ手部と前記支持部との境界個所内側は又は前記取っ手部の前記支持部側端部の内側に埋め込まれて取り付けられていることを特徴とする請求項１記載のトイレ清掃用回転ブラシ装具。
【請求項３】
前記ミラーは開閉可能な扉を有することを特徴とする請求項１または２記載のトイレ清掃用回転ブラシ装具。
【考案の詳細な説明】
【技術分野】
【０００１】
この考案は便器裏に付着する尿結石、カビ、汚れを効率的に清掃することのできる清掃装具に関する。
【背景技術】
【０００２】
トイレ掃除には、従来いくつかの種類が知られており、形状としては図５に示すように１本の棒状のトイレブラシスポンジあるいは特許文献１に記載されたような装置などが知られている。しかしながら、これらの清掃具では汚れている場所を確実に見ながら清掃することが困難であり、清掃する時間が長くなったり、不完全に汚れが落ちたりする問題点があった。
従来の清掃器具は、使用者が自分で適度な押圧力を調整しなければならず、そのうえ、重労働で面倒である問題点があった。
以前は和式便器が主流であったがライフスタイルが変わり、洋式便器の普及で清掃道具も変わってきており、和式便器の時は雑巾、たわしで充分であったが、洋式便器になり、従来から１本の棒状のタワシ、スポンジがトイレの清掃道具としてあるが、支持棒の後端部などを当てるのか難しく、また便器の淵の裏側を目視するような部分を十分に清掃できない問題点がある。
【先行技術文献】
【特許文献】
【０００３】
【特許文献１】特開２００２−１２９６２７号公報
【考案の概要】
【考案が解決しようとする課題】
【０００４】
本校案では便器の汚れている部分を直視して、汚れている部分を優先的に洗うことが出来るトイレ清掃用回転ブラシ装具を提供することにある。
【課題を解決するための手段】
【０００５】
本考案は
（１）取っ手部と、この取っ手部に屈曲して設けられえた支持部と、この支持部の先端に  回転可能に設けられた回転ブラシとを有するトイレ清掃用回転ブラシ装具であって、前記取っ手部と前記支持部との境界個所内側または前記取っ手部の前記支持部側端部との内側にミラーがとりつけられていることを特徴とするトイレ清掃用回転ブラシ装具。
（２）前記ミラーは、前記取っ手部と前記支持部との境界個所内側は又は前記取っ手部の前記支持部側端部の内側に埋め込まれて取り付けられていることを特徴とする（１）記載のトイレ清掃用回転ブラシ装具。
（３）前記ミラーは開閉可能な扉を有することを特徴とする（１）または（２）記載のトイレ清掃用回転ブラシ装具。
である。
【０００６】
本校案のトイレ清掃用回転ブラシ装具は、取っ手部とこの取っ手部に屈曲して設けられた支持部とこの支持部の先端に回転可能に設けられた回転ブラシとを有するトイレ清掃用回転ブラシ装具であって、前記取っ手部と前記支持部との境界個所内側または前記取っ手部の前記支持部側端部の内側にミラーが取り付けられているものである
本校案のトイレ清掃用回転ブラシ装具は清掃する先端に回転ブラシが設けてあり、この部分を回転させる事により便器の汚れを落とすことが出来る。取っ手部と指示部は折り曲げる構造であっても、固定した構造であってもよい。取っ手部と指示部とはその両方の接続している境界箇所で結合されている。本校案は境界個所内側または前記取っ手部の前記支持部側端部との内側にミラーがとりつけられている事に特徴があり、このミラーを用いて直視しずらい箇所を目視で確認することが出来、能率的な清掃を行うことが出来る。
ミラーは貼り付けても、埋め込んで設けてもよい。
また、ミラーに開閉可能な扉を設けてもよい。
ミラーは公知のガラス、蒸着フィルムなどを用いることができる。
本考案に掛かるトイレ回転ブラシ装具においては、一例として、１つの取っ手部（１）とモーター支持部（３）を備え、モーター支持部（３）は、先端に回転ブラシ（６）が取り付けられている。手持部（１）とモーター支持部（３）とは屈曲して取り付けられている。ミラー（８）の傾きはミラーが「目視」できる角度になっているので９０°の角度ががベストである。９０°未満または超えると視野が狭くなる場合があり、広すぎて目視しづらくなる（図３参照）。清掃終了後、収納のために手持ち部（４）とモーター支持部（３）の境を曲げる構造とするよりコンパクト（図５参照）になる。
【考案の効果】
【０００７】
以上説明したように、本考案のブラシ装具を用いれば、ミラーにより便器の裏面の状態を確認しながらブラシで裏面を清掃することができる。
【図面の簡単な説明】
【０００８】
【図１】本考案の回転ブラシを示した側面図である。
【図２】本考案の回転ブラシを示した平面図である。
【図３】本考案のうちミラー開閉扉を有する図である。
【図４】本考案の回転ブラシの使用例を示した図である
【図５】本考案は取っ手部と支持部を折りたたんだ状態を示す図である。
【考案を実施するための形態】
【０００９】
本考案に掛かるトイレ回転ブラシ装具において１つの取っ手部（１）とモーター支持部（３）を備え、モーター支持部（３）は、先端に回転ブラシを（６）が取り付けられている。取っ手部（１）とモーター支持部（３）とは屈曲して取り付けられている。ミラー（８）の傾きはミラー部が「目視」できる角度になっているので「９０°」がベストとしている。※９０°以内または以外だと視野が狭くなるが、広すぎて目視しづらくなる（図３参照）
清掃終了後収納の為に取っ手部（１）とモーター支持部（３）の境を曲げるとコンパクト（図４参照）になる。
【００１０】
回転ブラシ（６）は取付け部（７）と植えつけられたブラシ（６）とから構成され、ブラシ（８）はポリエステル素材を使用してできている。モーター支持部（３）はモーター（４）が収容され、モーター（４）の出力軸（５）は取付け部（７）に接続されている。モーター（４）が回転すると回転ブラシ（６）が回ります。境界個所付近の内側にミラー（８）が設けられている。ミラー（８）は安全性、視界の為に開閉自在のプラスチック扉（９）が取り付けられている。
【００１１】
本考案は内部（本体部分でなく）渕の裏側を「ミラー」で確認することによって『目で確認』しながら回転ブラシで便器の清掃機を提供することを目的とする。
目視しながら清掃（便器内裏側部分）できる『ミラー付回転ブラシ』は効率よく清掃できることを目的として、その目的達成するための考案である。簡単、手軽で便利、そして水に強い構造でお年寄りや小さいお子さん、力の弱い方、男性でも楽に積極的にトイレ掃除ができるという利点がある。
【００１２】
電気モーター（４）は、出力軸（５）を介して取付け部（７）に接続されているモーターが回り、回転ブラシ（６）が回る。本体は使用後には２つに折り曲げて収納（図４）できるようになっている。
【符号の説明】
【００１３】
１  取っ手部
２  スイッチ
３  支持部
４  電気モーター
５  出力軸
６  回転ブラシ
７  支持部端部
８  ミラー
９  開閉扉
【図１】
0003180644.tif 000003
【図２】
0003180644.tif 000004
【図３】
0003180644.tif 000005
【図４】
0003180644.tif 000006
【図５】
0003180644.tif 000007